(57)【要約】      （修正有）【課題】簡単な構成で容易に製造することができ低コストでしかも写真を展示等するのに便利な写真立ての提供。【解決手段】透明な表板とその表板の上辺に連設された背板２とを、その連設箇所で折り返して重合するとともに、左右側部を溶着して扁平袋状の収納部３とし、また、上記表板の底辺に、起立・伏倒可能な脚部９，９を有するスタンド板４を連設してなる写真立て。【選択図】図６
0003140536.tif 000002
【実用新案登録請求の範囲】
【請求項１】
透明な表板（１）とその表板（１）の上辺に連設された背板（２）とを、その連設箇所で折り返して重合するとともに、それら表板（１）と背板（２）との左右側部を溶着して扁平袋状の収納部（３）とし、また、上記表板（１）の底辺に、起立・伏倒可能な脚部（９，９）を有するスタンド板（４）を連設してなることを特徴とする写真立て。
【請求項２】
上記スタンド板（４）が、基部（９ｅ）とこれに連続する湾曲部（９ｆ）により支持板受入部（９ｇ）を囲繞形成した略コ字状および逆コ字状をなす一対の脚部（９，９）を、該スタンド板（４）から起立可能に形成し、その脚部（９，９）間に、脚部支持板（１０）を、脚部（９，９）の支持板受入部（９ｇ）内に位置させて、かつ、該スタンド板（４）から起立可能に形成していることを特徴とする請求項１記載の写真立て。
【請求項３】
上記脚部支持板（１０）が、該脚部支持板（１０）の縁部を、上記脚部（９，９）に形成された係合溝（９ｈ，９ｈ）に係合させて、該脚部（９，９）を起立状態で固定できるようにしてなることを特徴とする請求項２記載の写真立て。
【請求項４】
上記スタンド板（４）が、その係合片（８）を背板（２）の切込みに係合させて、背板（２）に重合した状態で固定できるようにしてなることを特徴とする請求項１，２または３記載の写真立て。
【請求項５】
プラスチック製の一枚のブランクから形成されることを特徴とする請求項１，２，３または４記載の写真立て。
【請求項６】
上記表板（１）の外周のスペースに所要の図柄を印刷したことを特徴とする請求項１，２，３，４または５記載の写真立て。
【考案の詳細な説明】
【技術分野】
【０００１】
本考案は、写真立てに関する。
【背景技術】
【０００２】
従来より、写真を展示するための写真立てとして、特許文献１，２に記載のものがある。
特許文献１の写真立ては、開口内に第二シート片を接着した窓枠シート片の左側に第三シート片と第四シート片を順に連設し、また、その窓枠シート片の右側に第一シート片を、上側にハンドルシート片を連設したものである。
上記第二シート片は、一枚のブランクシートとして形成される上記第一，第３，第四シート片、ハンドルシート片、および窓枠シート片に対してテープなどの接着により貼られているものである。
【特許文献１】実用新案登録第３１０５３５７号公報
【考案の開示】
【考案が解決しようとする課題】
【０００３】
しかし、その写真立ては上記の通りブランクシートと第二シート片とを貼り付けて形成されるから、その製造に貼付の必要とし、コストがかかることになる。
【０００４】
そこで、本考案は、より簡単な構成で容易に製造することができ低コストでしかも写真を展示等するのに便利な写真立ての提供を目的とする。
【課題を解決するための手段】
【０００５】
請求項１記載の本考案は、透明な表板１とその表板１の上辺に連設された背板２とを、その連設箇所で折り返して重合するとともに、左右側部を溶着して扁平袋状の収納部３とし、また、上記表板１の底辺に、起立・伏倒可能な脚部９，９を有するスタンド板４を連設してなる写真立てである。
【０００６】
請求項２記載の本考案は、上記スタンド板４が、基部９ｅとこれに連続する湾曲部９ｆにより支持板受入部９ｇを囲繞形成した略コ字状および逆コ字状をなす一対の脚部９，９を、該スタンド板４から起立可能に形成し、その脚部９，９間に、脚部支持板１０を、脚部９，９の支持板受入部９ｇ内に位置させて、かつ、該スタンド板４から起立可能に形成している請求項１記載の写真立てである。
【０００７】
請求項３記載の本考案は、上記脚部支持板１０が、該脚部支持板１０の縁部を、上記脚部９，９に形成された係合溝９ｈ，９ｈに係合させて、該脚部９，９を起立状態で固定できるようにしてなる請求項２記載の写真立てである。
【０００８】
請求項４記載の本考案は、上記スタンド板４が、その係合片８を背板２の切込みに係合させて、背板２に重合した状態で固定できるようにしてなる請求項１，２または３記載の写真立てである。
【０００９】
請求項５記載の本考案は、プラスチック製の一枚のブランクから形成される請求項１，２，３または４記載の写真立てである。
【００１０】
請求項６記載の本考案は、上記表板１の外周のスペースに所要の図柄を印刷した請求項１，２，３，４または５記載の写真立てである。
【考案の効果】
【００１１】
本考案写真立ては、簡単な構成で容易に製造することができ低コストでしかも写真を展示等するのに便利である。
【考案を実施するための最良の形態】
【００１２】
透明な表板１とその表板１の上辺に連設された背板２とを、その連設箇所で折り返して重合するとともに、左右側部を溶着して扁平袋状の収納部３とし、また、上記表板１の底辺に、起立・伏倒可能な脚部９，９を有するスタンド板４を連設してなる写真立て。
【実施例】
【００１３】
本実施例の写真立てＡは、立て長方形の表板１と、その上辺に連設された同大同大の背板２とを、それらの間の折り線で折り返して重合するとともに、左右側部の長辺に沿って溶着して、写真・ブロマイド・カード等（以下、これらを「写真等Ｂ」という。）を収納する縦長扁平袋状の収納部３とし、また、上記表板１の底辺に、起立・伏倒可能な脚部を有するスタンド板４を連設した透明プラスチックシート製のものである。
上記表板１側からは、上記収納部３に差し込んだ写真が見えるようになっている。この表板１には、たとえばその外周のスペースに所要の図柄を印刷することもできる。
【００１４】
上記背板２の上縁には収納部３から写真等Ｂを取り出す際に、その写真等Ｂに指を掛けやすくするために切欠き５が形成され、またその背板２の中央には、切込み６が形成されている。
上記スタンド板４には、切込み線７を入れることにより上記背板２の切込み５に係合する係合片８が形成されている。
また、そのスタンド板４には、略コ字状のおよび逆コ字状の一対の脚部９，９とこれを支持固定するための脚部支持板１０が形成されている。
上記各脚部９は、外側の切込み線９ａと内側の切込み線９ｂと、折り線９ｃ，９ｄによって、五角形をなす基部９ｅとこれに連続する湾曲部９ｆとを区画形成したもので、上記折り線９ｃ，９ｄにおいて折り曲げられスタンド板４から起立させることが可能になっている。
折り線９ｃ，９ｄにおいて折り曲げて起立させた際には、上記基部９ｅと湾曲部９ｆとに囲繞される支持板受入部９ｇが開口状態となる。
９ｈ，９ｈは、その支持板受入部９ｇの内縁の、上記基部９ｅと湾曲部９ｆとの境目位置に形成された係合溝である。
【００１５】
上記脚部支持板１０は、上記脚部９，９間に、上記切込み線９ｂと切込み線１０ａと、折り線１０ｂとにより区画形成され、上記折り線１０ｂにおいて折り曲げてスタンド板４から起立させることが可能になっている。その脚部支持板１０の遊端縁部には、上記脚部９，９の係合溝に係合する切込み１０ｃ，１０ｃが形成されている。
この写真立てＡは、図７に示したとおりの一枚のブランクから得られる簡単な構造のものであるから、容易に製造が行え、製造コストが低いものである。
【００１６】
写真を机上等に起立展示する場合には、上記のようにスタンド板４を背板２に固定した状態から、さらに脚部９，９を起立固定する。
その際には、たとえば、まず、図５に示したように、脚部９，９を起立させ、その後、図６に示したように、脚部支持板１０を起立させ、その切込み１０ｃ，１０ｃを脚部９，９の係合溝９ｈ，９ｈに係合させて、脚部９，９を固定する。
なお、先に脚部支持板１０を起立させてから脚部９，９を起立し、切込み１０ｃ，１０ｃと係合溝９ｈ，９ｈを係合させることとしてもよい。
【００１７】
これにより、この写真立てＡは、図２に示すように、机上に起立させることができる。
上記脚部９，９の固定も簡単な作業であるので、本写真立てＡは、写真を起立展示するのに便利である。
【００１８】
また、この写真立てＡは、上記収納部３に写真等Ｂを差し込み収納した状態で、上記脚部９，９および脚部支持板１０を起立させることなく、係合片８を背板の切込み６に係合させて上記スタンド板４を背板２に固定しておくことで、上記写真等Ｂを保護することができる。この状態で写真等Ｂを保管したり持ち運ぶのに便利である。
【図面の簡単な説明】
【００１９】
【図１】本考案の実施例に係る写真立ての斜視図である。
【図２】図１のＩ−Ｉ線縦断面図である。
【図３】上記写真立ての、スタンド板を開いた状態の平面図およびこれに収納される写真の平面図である。
【図４】上記写真立ての、スタンド板を開いた状態の平面図およびこれに収納される写真の斜視図である。
【図５】上記写真立ての、スタンド板を固定し、脚部を起立させた状態の斜視図である。
【図６】図５の状態からさらに脚部支持板を起立させ、上記脚部を固定した状態の斜視図である。
【図７】上記写真立てのブランクの展開平面図である。
【符号の説明】
【００２０】
Ａ 写真立て
Ｂ 写真等
２ 背板
３ 収納部
４ スタンド板
８ 係合片
９ 脚部
９ｃ 折り線
９ｄ 折り線
９ｅ 基部
９ｆ 湾曲部
９ｇ 支持板受入部
９ｈ 係合溝
１０ 脚部支持板
１０ｂ 折り線
【図１】
0003140536.tif 000003
【図２】
0003140536.tif 000004
【図３】
0003140536.tif 000005
【図４】
0003140536.tif 000006
【図５】
0003140536.tif 000007
【図６】
0003140536.tif 000008
【図７】
0003140536.tif 000009